(57)【要約】【課題】出口弁より上方に位置する循環ラインに残存する液を塔体へ戻し入れる際、液の水頭による大きな圧力が、出口弁、循環ポンプ、入口弁、並びに塔体に対し衝撃として伝わってしまうことを確実に回避し得る塔体のメンテナンス方法及び装置を提供する。【解決手段】循環ポンプ５停止時、循環ポンプ５の入口弁８と出口弁９とを一旦閉じてから、入口弁８を開いた際に、循環ライン４に残存する吸収液１を緩やかに吸収塔３下部の液溜部１ａに戻すためのバイパスライン１７を、出口弁９の出側と入側を連通させるように配設する。【選択図】図１
2006175309.tif 000002
【特許請求の範囲】
【請求項１】
塔体下部の液溜部の液を循環ポンプにより、塔体下部と塔体上部とをつなぐように立ち上げられた循環ラインに汲み上げて循環させる塔体のメンテナンス方法であって、
循環ポンプを停止させ、循環ポンプの入口弁と出口弁とを一旦閉じてから、入口弁を開き、循環ラインに残存する液を、出口弁の出側と入側を連通させるバイパスラインを介して緩やかに塔体下部の液溜部に戻した後、循環ラインの清水置換を行うことを特徴とする塔体のメンテナンス方法。
【請求項２】
塔体を、吸収液を液溜部から汲み上げて噴霧しつつ循環させ排ガスと接触させて排ガス中のＳＯ2を吸収除去する湿式排煙脱硫装置の吸収塔とした請求項１記載の塔体のメンテナンス方法。
【請求項３】
塔体下部の液溜部の液を、塔体下部と塔体上部とをつなぐように立ち上げられた循環ラインに汲み上げて循環させる循環ポンプを有する塔体のメンテナンス装置であって、
循環ポンプの入側に設けられた入口弁と、
循環ポンプの出側に設けられた出口弁と、
出口弁の出側と入側を連通させ、且つ循環ポンプ停止時、循環ポンプの入口弁と出口弁とを一旦閉じてから、入口弁を開いた際に、循環ラインに残存する液を緩やかに塔体下部の液溜部に戻すためのバイパスラインと
を備えたことを特徴とする塔体のメンテナンス装置。
【請求項４】
大口径の循環ラインに対してバイパスラインの管径を小口径とした請求項３記載の塔体のメンテナンス装置。
【請求項５】
塔体を、吸収液を液溜部から汲み上げて噴霧しつつ循環させ排ガスと接触させて排ガス中のＳＯ2を吸収除去する湿式排煙脱硫装置の吸収塔とした請求項３又は４記載の塔体のメンテナンス装置。 
【発明の詳細な説明】
【技術分野】
【０００１】
本発明は、湿式排煙脱硫装置の吸収塔等に用いられる塔体のメンテナンス方法及び装置に関するものである。
【背景技術】
【０００２】
一般に、発電所等においては、石炭焚ボイラ等から排出される排ガスから硫黄酸化物(ＳＯ2)を吸収除去するために、排煙脱硫装置が設けられるが前記排煙脱硫装置としては、従来、吸収剤として炭酸カルシウム(ＣａＣＯ3)を用い、石膏（ＣａＳＯ4）を回収するようにした、いわゆる石灰−石膏法を利用する湿式排煙脱硫装置が知られている。
【０００３】
図２は石灰−石膏法を利用した湿式排煙脱硫装置の一例を表わすものであって、該湿式排煙脱硫装置は、通常、図２に示されるように、下部に吸収液１の液溜部１ａが形成され且つ上部に多数のスプレーノズル２が配設された塔体としての吸収塔３と、該吸収塔３の液溜部１ａの吸収液１を循環ライン４に汲み上げ前記スプレーノズル２から噴霧させて循環させる循環ポンプ５と、前記吸収塔３の液溜部１ａに酸化空気を供給する酸化空気ブロワ６とを備えてなる構成を有している。
【０００４】
前述の如き湿式排煙脱硫装置の場合、吸収液１が循環ポンプ５の作動によりスプレーノズル２から噴霧されつつ循環しており、石炭焚ボイラ等から吸収塔３に送り込まれた排ガスは、前記スプレーノズル２から噴霧される吸収液１と接触することにより、ＳＯ2（硫黄酸化物）が吸収除去された後、吸収塔３出側の煙道７へ排出され、図示していない煙突から大気へ放出されるようになっている。
【０００５】
又、前記排ガスからＳＯ2を吸収した吸収液１は、液溜部１ａに滴下し、酸化空気ブロワ６の作動によって液溜部１ａ内へ供給される酸化空気により強制的に酸化され、石膏（硫酸カルシウム（ＣａＳＯ4））が生成され、該石膏を含む液溜部１ａ内の吸収液１の一部は、図示していない抜出ラインから抜き出され、石膏が回収されるようになっている。
【０００６】
ところで、前記循環ライン４に設けられる循環ポンプ５の入側と出側には、入口弁８と出口弁９が設けられ、入口弁８と循環ポンプ５との間の循環ライン４には、ドレン弁１０を有するドレンライン１１が分岐接続されると共に、出口弁９の出側にも、ドレン弁１２を有するドレンライン１３が分岐接続され、更に、循環ポンプ５と出口弁９との間の循環ライン４には、清水弁１５を有する清水ライン１６が接続されている。
【０００７】
そして、前記循環ポンプ５等のメンテナンスを行う際には、従来の場合、先ず、循環ポンプ５を停止させ、循環ポンプ５の入口弁８と出口弁９とを一旦閉じ、ドレン弁１０を開いて、入口弁８と出口弁９との間の循環ライン４及び循環ポンプ５内部に残存する吸収液１をドレンライン１１から排出すると共に、ドレン弁１２を開いて、出口弁９より上方に位置する循環ライン４に残存する吸収液１をドレンライン１３から排出した後、清水弁１５を開いて清水ライン１６から清水を供給し、入口弁８と出口弁９との間の循環ライン４、循環ポンプ５内部及びドレンライン１１の清水置換を行い、続いて、ドレン弁１０を閉じ、出口弁９を開き、ドレンライン１３の清水置換を行い、更に、ドレン弁１２を閉じ、出口弁９より上方に位置する循環ライン４からスプレーノズル２へ清水を流し、それらの清水置換を行うようになっている。
【０００８】
尚、前述の如き湿式排煙脱硫装置の吸収塔に関連する技術水準を示すものとしては、例えば、特許文献１がある。
【特許文献１】特開平９−２７１６３２号公報
【発明の開示】
【発明が解決しようとする課題】
【０００９】
しかしながら、前述の如き湿式排煙脱硫装置の吸収塔３においては、循環ライン４は大口径（例えば、φ１０００［ｍｍ］程度）の配管となっており、出口弁９を閉じた際に該出口弁９より上方に位置する循環ライン４に残存する吸収液１の容量が非常に大きくなっているため、該吸収液１をドレン弁１２を開いてドレンライン１３から排出した場合、該排出した吸収液１が吸収塔３周辺の路上等に溢れ出してしまう虞があった。
【００１０】
このような不具合を避けるため、循環ポンプ５等のメンテナンスを行う際に、循環ポンプ５を停止させ、前記出口弁９より上方に位置する循環ライン４に残存する吸収液１を吸収塔３へ戻し入れ、液溜部１ａの液面レベルと循環ライン４の液面レベルとを同一レベルとした後、入口弁８を閉じた状態で、ドレン弁１０とドレン弁１２を開き、循環ライン４に残存する吸収液１をドレンライン１１及びドレンライン１３から抜き出し、ドレンとしての排出量を減少させることが考えられている。
【００１１】
しかしながら、前述の如く、循環ポンプ５等のメンテナンスを行う際に、循環ポンプ５を停止させ、前記出口弁９より上方に位置する循環ライン４に残存する吸収液１を吸収塔３へ戻し入れようとした場合、該吸収液１の水頭による大きな圧力が、出口弁９、循環ポンプ５、入口弁８、並びに吸収塔３に対し衝撃として伝わってしまい、好ましくないという問題を有していた。
【００１２】
本発明は、斯かる実情に鑑み、出口弁より上方に位置する循環ラインに残存する液を塔体へ戻し入れる際、液の水頭による大きな圧力が、出口弁、循環ポンプ、入口弁、並びに塔体に対し衝撃として伝わってしまうことを確実に回避し得る塔体のメンテナンス方法及び装置を提供しようとするものである。
【課題を解決するための手段】
【００１３】
本発明は、塔体下部の液溜部の液を循環ポンプにより、塔体下部と塔体上部とをつなぐように立ち上げられた循環ラインに汲み上げて循環させる塔体のメンテナンス方法であって、
循環ポンプを停止させ、循環ポンプの入口弁と出口弁とを一旦閉じてから、入口弁を開き、循環ラインに残存する液を、出口弁の出側と入側を連通させるバイパスラインを介して緩やかに塔体下部の液溜部に戻した後、循環ラインの清水置換を行うことを特徴とする塔体のメンテナンス方法にかかるものである。
【００１４】
前記塔体のメンテナンス方法においては、塔体を、吸収液を液溜部から汲み上げて噴霧しつつ循環させ排ガスと接触させて排ガス中のＳＯ2を吸収除去する湿式排煙脱硫装置の吸収塔とすることができる。
【００１５】
又、本発明は、塔体下部の液溜部の液を、塔体下部と塔体上部とをつなぐように立ち上げられた循環ラインに汲み上げて循環させる循環ポンプを有する塔体のメンテナンス装置であって、
循環ポンプの入側に設けられた入口弁と、
循環ポンプの出側に設けられた出口弁と、
出口弁の出側と入側を連通させ、且つ循環ポンプ停止時、循環ポンプの入口弁と出口弁とを一旦閉じてから、入口弁を開いた際に、循環ラインに残存する液を緩やかに塔体下部の液溜部に戻すためのバイパスラインと
を備えたことを特徴とする塔体のメンテナンス装置にかかるものである。
【００１６】
前記塔体のメンテナンス装置においては、大口径の循環ラインに対してバイパスラインの管径を小口径とすることができる。
【００１７】
更に、前記塔体のメンテナンス装置においては、塔体を、吸収液を液溜部から汲み上げて噴霧しつつ循環させ排ガスと接触させて排ガス中のＳＯ2を吸収除去する湿式排煙脱硫装置の吸収塔とすることができる。
【発明の効果】
【００１８】
本発明の塔体のメンテナンス方法及び装置によれば、出口弁より上方に位置する循環ラインに残存する液を塔体へ戻し入れる際、液の水頭による大きな圧力が、出口弁、循環ポンプ、入口弁、並びに塔体に対し衝撃として伝わってしまうことを確実に回避し得るという優れた効果を奏し得る。
【発明を実施するための最良の形態】
【００１９】
以下、本発明の実施の形態を添付図面を参照して説明する。
【００２０】
図１は本発明を実施する形態の一例であって、図中、図２と同一の符号を付した部分は同一物を表わしており、基本的な構成は図２に示す従来のものと同様であるが、本図示例の特徴とするところは、図１に示す如く、循環ポンプ５停止時、循環ポンプ５の入口弁８と出口弁９とを一旦閉じてから、入口弁８を開いた際に、循環ライン４に残存する吸収液１を緩やかに吸収塔３下部の液溜部１ａに戻すためのバイパスライン１７を、出口弁９の出側と入側を連通させるように配設した点にある。
【００２１】
前記バイパスライン１７の管径は、大口径（例えば、φ１０００［ｍｍ］程度）の循環ライン４に対して小口径（例えば、φ５０［ｍｍ］程度）としてある。
【００２２】
次に、上記図示例の作用を説明する。
【００２３】
循環ポンプ５等のメンテナンスを行う際には、本図示例の場合、先ず、循環ポンプ５を停止させ、循環ポンプ５の入口弁８と出口弁９とを一旦閉じ、入口弁８を開くと、前記出口弁９より上方に位置する循環ライン４に残存する吸収液１は、小口径のバイパスライン１７を介して緩やかに吸収塔３下部の液溜部１ａに戻され、液溜部１ａの液面レベルと循環ライン４の液面レベルとが同一レベルとなった後、入口弁８と出口弁９とを閉じ、ドレン弁１０を開いて、入口弁８と出口弁９との間の循環ライン４及び循環ポンプ５内部に残存する吸収液１をドレンライン１１から排出すると共に、ドレン弁１２を開いて、出口弁９より上方に位置する循環ライン４に残存する吸収液１をドレンライン１３から排出しつつ、清水弁１５を開いて清水ライン１６から清水を供給し、入口弁８と出口弁９との間の循環ライン４、循環ポンプ５内部、ドレンライン１１、バイパスライン１７、及びドレンライン１３の清水置換を行い、続いて、ドレン弁１０とドレン弁１２を閉じ、出口弁９を開き、出口弁９より上方に位置する循環ライン４からスプレーノズル２へ清水を流し、それらの清水置換を行う。
【００２４】
この結果、バイパスライン１７を設けたことにより、出口弁９より上方に位置する循環ライン４に残存する吸収液１を吸収塔３へ戻し入れる際に、該吸収液１の水頭による大きな圧力が、出口弁９、循環ポンプ５、入口弁８、並びに吸収塔３に対し衝撃として伝わってしまうことがなくなる。
【００２５】
又、大口径の循環ライン４に対してバイパスライン１７の管径を小口径としてあるため、通常運転時に、循環ポンプ５を駆動して循環ライン４に吸収液１を流通させる際に問題が生じる心配も全くない。
【００２６】
こうして、出口弁９より上方に位置する循環ライン４に残存する吸収液１を吸収塔３へ戻し入れる際、吸収液１の水頭による大きな圧力が、出口弁９、循環ポンプ５、入口弁８、並びに吸収塔３に対し衝撃として伝わってしまうことを確実に回避し得る。
【００２７】
尚、本発明の塔体のメンテナンス方法及び装置は、上述の図示例にのみ限定されるものではなく、湿式排煙脱硫装置の吸収塔に限らず、液を循環させるものであればどのような塔体にも適用可能なこと等、その他、本発明の要旨を逸脱しない範囲内において種々変更を加え得ることは勿論である。
【図面の簡単な説明】
【００２８】
【図１】本発明を実施する形態の一例を示す概要構成図である。
【図２】従来の湿式排煙脱硫装置の一例を示す概要構成図である。
【符号の説明】
【００２９】
１    吸収液（液）
１ａ  液溜部
３    吸収塔（塔体）
４    循環ライン
５    循環ポンプ
８    入口弁
９    出口弁
１７    バイパスライン
【図１】
2006175309.tif 000003
【図２】
2006175309.tif 000004